(57)【要約】【課題】管理に支障を起こすことなく、ユーザ等によるファイル名の変更を保証することができるコンテンツ再生装置を提供する。【解決手段】再生ファイル記録手段５１（リッピング手段）は、第１の記録媒体に記録された複数のファイルまたはフォルダよりなる複数のコンテンツをリッピングして第２の記録媒体に記録する。ファイル名付与手段５２は、それぞれのコンテンツに対して第１の文字数よりなる第１の名前と、ユーザによる名前の編集作業に基づいて、それぞれのコンテンツに対して、第１の文字数より長い第２の文字数よりなる第２の名前を付与する。第１の名前は、リッピングの順に連続的な数値または文字よりなり、名前の変更が制限されている。ディスプレイは、コンテンツの再生時にコンテンツの名前を表示する。【選択図】図７
2011146119.tif 000002
【特許請求の範囲】
【請求項１】
第１の記録媒体に記録された複数のファイルまたはフォルダよりなる複数のコンテンツをリッピングして第２の記録媒体に記録するリッピング手段と、
前記リッピング手段によってリッピングされたそれぞれのコンテンツを前記第２の記録媒体に記録するに際して、前記それぞれのコンテンツに対して第１の文字数よりなる第１の名前を付与する第１の付与手段と、
ユーザによる名前の編集作業に基づいて、前記リッピング手段によってリッピングされたそれぞれのコンテンツに対して、前記第１の文字数より長い第２の文字数よりなる第２の名前を付与する第２の付与手段と、
前記コンテンツの再生時に前記コンテンツの名前を表示するディスプレイと、
を備え、
前記第１の付与手段は、前記第１の名前として、前記リッピング手段によるリッピングの順に連続的な数値または文字よりなる名前を付与し、
前記第１の付与手段が付与した前記第１の名前は、名前の変更が制限されており、
前記ディスプレイに前記コンテンツの名前を表示させる際、前記コンテンツに対して前記第２の名前が付与されている場合には前記第２の名前を表示させ、前記コンテンツに対して前記第２の名前が付与されていない場合には前記第１の名前を表示させる
ことを特徴とするコンテンツ再生装置。
【請求項２】
前記第１の名前または前記第２の名前を前記ディスプレイに表示させる際に、拡張子を除く前記第１の名前または前記第２の名前の本体部分を表示させる
ことを特徴とする請求項１記載のコンテンツ再生装置。
【請求項３】
第１の記録媒体に記録された複数のファイルまたはフォルダよりなる複数のコンテンツをリッピングして第２の記録媒体に記録するリッピングステップと、
前記リッピングステップにてリッピングされたそれぞれのコンテンツを前記第２の記録媒体に記録するに際して、前記それぞれのコンテンツに対して第１の文字数よりなる第１の名前を付与する第１の付与ステップと、
前記第１の付与ステップの後、ユーザによる名前の編集作業に基づいて、前記リッピングステップにてリッピングされたそれぞれのコンテンツに対して、前記第１の文字数より長い第２の文字数よりなる第２の名前を付与する第２の付与ステップと、
前記コンテンツの再生時に前記コンテンツの名前をディスプレイに表示させる表示ステップと、
を含み、
前記第１の付与ステップは、前記第１の名前として、前記リッピングステップによるリッピングの順に連続的な数値または文字よりなる名前を付与し、
前記第１の付与ステップにて付与した前記第１の名前は、名前の変更が制限されており、
前記表示ステップは、前記ディスプレイに前記コンテンツの名前を表示させる際、前記コンテンツに対して前記第２の名前が付与されている場合には前記第２の名前を表示させ、前記コンテンツに対して前記第２の名前が付与されていない場合には前記第１の名前を表示させる
ことを特徴とするコンテンツ再生装置に用いるコンテンツ管理方法。
【請求項４】
前記表示ステップは、前記第１の名前または前記第２の名前を前記ディスプレイに表示させる際に、拡張子を除く前記第１の名前または前記第２の名前の本体部分を表示させる
ことを特徴とする請求項３記載のコンテンツ再生装置に用いるコンテンツ管理方法。
【発明の詳細な説明】
【技術分野】
【０００１】
本発明は、記憶装置内の楽曲ファイル等を再生するコンテンツ再生装置及びこれに用いるファイル管理方法に関し、特にファイル名を再生ファイルの管理に利用するコンテンツ再生装置及びこれに用いるファイル管理方法に関する。
【背景技術】
【０００２】
ＰＣ（パーソナルコンピュータ）にインストールされるオーディオ編集ソフトでは、リッピングによりＣＤ−ＤＡ（Compact Disc Digital Audio）の楽曲についての楽曲ファイルをＰＣのＨＤ（ハードディスク）等の記憶装置に生成する場合には、例えば、「半角スペース-半角スペース（” - ”）」を区切り子に使って、ファイル名を複数の区分に区分化し、「”トラック番号” - ”アーティスト名” - ”楽曲名” - ”アルバム名”」のように、各区分に楽曲情報を記入したファイル名を各楽曲ファイルに付与する。そして、後のアルバム再生時では、ファイル名の各区分の情報を再生順や表示情報として利用する。
【０００３】
なお、アーティスト名や楽曲名等はＣＤテキストや、インターネットのＣＤＤＢ（ＣＤデータベース）サーバ等から入手したものであり、今回のリッピング対象のＣＤ−ＤＡがＣＤテキストを有しておらず、また、ＣＤＤＢにも該当の楽曲情報がない場合やＣＤＤＢが利用できない場合には、ファイル名の対応区分はブランク（ｎｕｌｌ）となり、後に、ユーザが適宜、手作業で楽曲情報を入力することになる。
【０００４】
特許文献１は、リッピングにより生成したＭＰ３（MPEG Audio Layer-３）ファイルをＣＤ−Ｒに１階層（特許文献１の図４）または複数階層（特許文献１の図６）で格納している場合のディスプレイにおける楽曲一覧の表示例（特許文献１の図５、図７及び図８）を開示している。さらに、全楽曲数が多過ぎて、全楽曲の一覧が一画面に表示できなかったり、一部の楽曲について楽曲名が長過ぎて、画面からはみ出たりするような場合には、スクロールやカーソル操作により（特許文献１の段落００３４、００３６）、非表示部分を適宜画面内へ移動、表示することも開示する。
【０００５】
特許文献２は、ＭＰ３ファイルのヘッダに記憶可能となっているＩＤ３−ＴＡＧ情報を利用して、楽曲名やアーティスト名を記録することを開示する（特許文献２の段落０００３）。そして、ＭＰ３ファイル再生時では、再生対象のＭＰ３ファイルにおけるＩＤ３−ＴＡＧ情報内のテキストデータの有無を判定し（特許文献２の図６のＳ６２）、テキストデータがあれば、テキストデータを表示し（特許文献２の図６のＳ６３）、なければ、テキストデータの代わりにファイル名を表示するようにしている（特許文献２の図６のＳ６４）。
【０００６】
一方、ＷｉｎｄｏｗｓＸＰ（登録商標）等では、記憶装置に記憶するファイルに対し、ショートファイルネーム（本体文字数８バイト以下でかつ拡張子文字数３バイト以下）またはロングファイルネーム（＝ショートファイルネーム以外のファイル名）を付与するようになっている。
【先行技術文献】
【特許文献】
【０００７】
【特許文献１】特開２００２−３４３０６７号公報
【特許文献２】特開２００５−２５１２８７号公報
【発明の概要】
【発明が解決しようとする課題】
【０００８】
ファイル名に追い番や楽曲名の情報を含ませるようになっている楽曲ファイルに対して、ユーザが手入力により、さらには、オーディオ装置自身が自動的にファイル名を変更することがある。従来のオーディオ装置では、ファイル名の変更になんらの制限が付けられていない。したがって、例えばファイル名内の追い番や区切り子まで変更されてしまうと、ファイル名変更後のアルバム再生時に、アルバム内の各楽曲が正しい順番で再生できなくなる。
【０００９】
特許文献１は、リッピング後の記憶装置内のオーディオファイルの楽曲名等の一覧を画面に表示する場合の改善案について説明するものの、ユーザによるファイル名書き換えに伴う再生ファイル管理上の問題についてはなんら言及していない。特許文献２は、ＭＰ３ファイルの情報表示について、ＩＤ３−ＴＡＧ情報としてテキストデータをもつか否かにより表示情報源をＩＤ３−ＴＡＧ情報かテキストテーブルかに使い分けているものの（特許文献２の図６のＳ６２〜Ｓ６４）、ユーザがファイル名を書き換える時の問題点への対処についてはなんら言及していない。
【００１０】
本発明の目的は、記憶装置内のファイルの管理にファイル名を利用するコンテンツ再生装置及びこれに用いるファイル管理方法において、管理に支障を起こすことなく、ユーザ等によるファイル名の変更を保証することである。
【課題を解決するための手段】
【００１１】
本発明は、第１の記録媒体に記録された複数のファイルまたはフォルダよりなる複数のコンテンツをリッピングして第２の記録媒体に記録するリッピング手段と、前記リッピング手段によってリッピングされたそれぞれのコンテンツを前記第２の記録媒体に記録するに際して、前記それぞれのコンテンツに対して第１の文字数よりなる第１の名前を付与する第１の付与手段と、ユーザによる名前の編集作業に基づいて、前記リッピング手段によってリッピングされたそれぞれのコンテンツに対して、前記第１の文字数より長い第２の文字数よりなる第２の名前を付与する第２の付与手段と、前記コンテンツの再生時に前記コンテンツの名前を表示するディスプレイとを備え、前記第１の付与手段は、前記第１の名前として、前記リッピング手段によるリッピングの順に連続的な数値または文字よりなる名前を付与し、前記第１の付与手段が付与した前記第１の名前は、名前の変更が制限されており、前記ディスプレイに前記コンテンツの名前を表示させる際、前記コンテンツに対して前記第２の名前が付与されている場合には前記第２の名前を表示させ、前記コンテンツに対して前記第２の名前が付与されていない場合には前記第１の名前を表示させることを特徴とするコンテンツ再生装置である。
【００１２】
上記のコンテンツ再生装置において、前記第１の名前または前記第２の名前を前記ディスプレイに表示させる際に、拡張子を除く前記第１の名前または前記第２の名前の本体部分を表示させることが好ましい。
【００１３】
また、本発明は、第１の記録媒体に記録された複数のファイルまたはフォルダよりなる複数のコンテンツをリッピングして第２の記録媒体に記録するリッピングステップと、前記リッピングステップにてリッピングされたそれぞれのコンテンツを前記第２の記録媒体に記録するに際して、前記それぞれのコンテンツに対して第１の文字数よりなる第１の名前を付与する第１の付与ステップと、前記第１の付与ステップの後、ユーザによる名前の編集作業に基づいて、前記リッピングステップにてリッピングされたそれぞれのコンテンツに対して、前記第１の文字数より長い第２の文字数よりなる第２の名前を付与する第２の付与ステップと、前記コンテンツの再生時に前記コンテンツの名前をディスプレイに表示させる表示ステップとを含み、前記第１の付与ステップは、前記第１の名前として、前記リッピングステップによるリッピングの順に連続的な数値または文字よりなる名前を付与し、前記第１の付与ステップにて付与した前記第１の名前は、名前の変更が制限されており、前記表示ステップは、前記ディスプレイに前記コンテンツの名前を表示させる際、前記コンテンツに対して前記第２の名前が付与されている場合には前記第２の名前を表示させ、前記コンテンツに対して前記第２の名前が付与されていない場合には前記第１の名前を表示させることを特徴とするコンテンツ再生装置に用いるコンテンツ管理方法である。
【００１４】
上記のコンテンツ再生装置に用いるファイル管理方法において、前記表示ステップは、前記第１の名前または前記第２の名前を前記ディスプレイに表示させる際に、拡張子を除く前記第１の名前または前記第２の名前の本体部分を表示させることが好ましい。
【発明の効果】
【００１５】
本発明によれば、１個の再生ファイルに対してそれぞれ別種の第１及び第２のファイル名が付与され、第１及び第２のファイル名は変更をそれぞれ制限及び許容される。結果、所定の管理への支障を回避しつつ、ユーザ等によるファイル名の変更を確保できる。
【図面の簡単な説明】
【００１６】
【図１】ＡＶファイルのファイル名管理ソフトを実装する各種装置及び連携関係を示す図である。
【図２】ＣＤテキストなしＣＤ−ＤＡの楽曲についてリッピング及びその後にユーザによるネーム編集作業が実施される場合のファイル名の変更過程を示す図である。
【図３】ＣＤテキスト付きＣＤ−ＤＡについてリッピングを実施した場合のファイル名の変更過程を示す図である。
【図４】ユーザによるファイル名変更の作業画面を例示す図である。
【図５】リッピング処理のフローチャートである。
【図６】ファイル名表示処理のフローチャートである。
【図７】ファイル管理装置のブロック図である。
【図８】ファイル管理方法における再生ファイル記録ルーチンのフローチャートである。
【図９】ファイル管理方法７０におけるファイル名変更要求ルーチンのフローチャートである。
【発明を実施するための形態】
【００１７】
図１はＡＶ（Audio & Visual）ファイルのファイル名管理ソフトを実装する各種装置及び連携関係を示している。ＡＶファイルには、ＭＰ３規格やＷＡＶ規格のようなオーディオファイル、ＪＰＥＧ規格のような画像ファイル、及びＭＰＥＧ規格のような動画ファイルが含まれる。以下、説明の簡略上、ＡＶファイルはオーディオファイルの一種である楽曲ファイルを想定する。
【００１８】
再生機器としてのデジタルオーディオプレーヤ１０、据え置き型オーディオ装置１１及びＰＣ１２は、ハードディスクやフラッシュメモリ等の記憶装置を内蔵し、記憶装置内に楽曲ファイルを記憶する。デジタルオーディオプレーヤ１０、据え置き型オーディオ装置１１及びＰＣ１２は、記憶装置内の楽曲ファイルを適宜、読み出して、それらの楽曲再生音を自機のスピーカやイヤホンから出力自在としているとともに、記憶装置内の楽曲ファイルに対してファイル名変更等の編集を自機で適宜実施できるようにしている。
【００１９】
据え置き型オーディオ装置１１及びＰＣ１２は、自機のハードディスク装置に記憶されている楽曲ファイルをＳＤメモリカードのような着脱自在のフラッシュメモリへコピーまたは移動し、着脱式フラッシュメモリをデジタルオーディオプレーヤ１０に装着して、デジタルオーディオプレーヤ１０で着脱式フラッシュメモリ内の楽曲を再生することもできる。さらに、着脱式フラッシュメモリ内の楽曲ファイルについてはファイル名等の編集を据え置き型オーディオ装置１１及びＰＣ１２において行うことができるようになっている。
【００２０】
デジタルオーディオプレーヤ１０及び据え置き型オーディオ装置１１はケーブル１５を介して相互に接続されるようになっている。ケーブル１５による接続状態では、据え置き型オーディオ装置１１の記憶装置内の楽曲ファイルを暗号化してから、デジタルオーディオプレーヤ１０の記憶装置へ格納したり、ユーザがデジタルオーディオプレーヤ１０の記憶装置内の楽曲ファイルを据え置き型オーディオ装置１１において編集したり、ユーザがデジタルオーディオプレーヤ１０の記憶装置内の楽曲ファイルの楽曲再生音を据え置き型オーディオ装置１１のスピーカから出力したりすることが可能になっている。
【００２１】
同様に、デジタルオーディオプレーヤ１０及びＰＣ１２はＵＳＢケーブルのようなケーブル１６を介して相互に接続されるようになっている。ケーブル１６による接続状態では、ＰＣ１２の記憶装置内の楽曲ファイルを暗号化してから、デジタルオーディオプレーヤ１０の記憶装置へ格納したり、ユーザがデジタルオーディオプレーヤ１０の記憶装置内の楽曲ファイルをＰＣ１２において編集したりすることが可能である。
【００２２】
同様に、据え置き型オーディオ装置１１及びＰＣ１２はＵＳＢケーブルのようなケーブル１７を介して相互に接続されるようになっている。ケーブル１７による接続状態では、据え置き型オーディオ装置１１−ＰＣ１２間で楽曲ファイルを相互に転送し合ったり、ユーザが据え置き型オーディオ装置１１の記憶装置内の楽曲ファイルをＰＣ１２において編集したりすることが可能である。
【００２３】
図２はＣＤテキストなしＣＤ−ＤＡの楽曲についてリッピング及びその後にユーザによるネーム編集作業が実施される場合のファイル名の変更過程を示している。ＣＤ−ＤＡからのリッピングは、デジタルオーディオプレーヤ１０、据え置き型オーディオ装置１１及びＰＣ１２のどれにおいても行われてもよいが、以降では、説明の便宜上、代表して、デジタルオーディオプレーヤ１０を選択して、デジタルオーディオプレーヤ１０の場合について説明する。デジタルオーディオプレーヤ１０では、記憶装置内のファイルをツリー構造で管理する。
【００２４】
リッピング前の記憶装置内には、図２（ａ）に示すように、名前が”ＡＢＣＤ”であるフォルダが１個存在し、かつそのフォルダ内には、ＡＢＣ．ｍｐ３，ｅｆｇ．ｗｍａ，ＨＩＪ．ｄｏｃの３個のファイルが格納されているものと仮定する。なお、ファイル名の拡張子について、ｍｐ３はオーディオのＭＰ３規格のファイルであることを示し、ｗｍａはオーディオのｗｍａ（Windows Media Audio）規格のファイルであることを示し、ｄｏｃはマイクロソフト社のワープロソフトのＷｏｒｄファイルであることを示している。
【００２５】
ＣＤ−ＤＡの楽曲のリッピングに伴い、デジタルオーディオプレーヤ１０の記憶装置内には、図２（ｂ）に示すように、フォルダ名”Ａｌｂｕｍ００１”のフォルダが、フォルダ名”Ｓｐｅｃｉａｌ”のフォルダの下の階層として作成される。フォルダ名”Ａｌｂｕｍ００１”は、デジタルオーディオプレーヤ１０がＣＤ−ＤＡからのリッピング時にフォルダのデフォルト名として付けたフォルダ名であり、もし今回のＣＤ−ＤＡがＣＤテキスト付きである場合には、典型的には、”Ａｌｂｕｍ００１”の代わりに、ＣＤ−ＤＡのアルバム名がフォルダ名となる。なお、フォルダ名”Ｓｐｅｃｉａｌ”のフォルダは、デジタルオーディオプレーヤ１０において記憶装置内に特別のフォルダとして設定しているものとし、デジタルオーディオプレーヤ１０は、楽曲ファイルに係る編集要求や再生要求をユーザから指示されると、最初に、”Ｓｐｅｃｉａｌ”のフォルダにアクセスし、このフォルダから該当の楽曲ファイルを探索するように仕向けられている。
【００２６】
フォルダの各楽曲のデータは、この例では、ｗｍａ規格の楽曲ファイルに変換されて、フォルダ”Ａｌｂｕｍ００１”の中に格納される。各楽曲ファイルは、ＣＤ−ＤＡにおけるトラック順を数値として含むファイル名（ＴＲ００１．ｗｍａ，ＴＲ００２．ｗｍａ，・・・）がショートファイルネームで付与される。ショートファイルネームは、パソコンＯＳのＷｉｎｄｏｗｓ（登録商標）に合わせて、例えば本体文字数８バイト以下でかつ拡張子文字数３バイト以下のファイル名とされ、ロングファイルネームは、例えば本体文字数９バイト以上であるかまたは拡張子文字数４バイト以上のファイル名とされる。ただし、デジタルオーディオプレーヤ１０では、ショートファイルネーム及びロングファイルネームは、相互に独立に付与され、すなわち、採用するネーム規格では、ロングファイルネームの先頭８桁までのテキストがショートファイルネームとなるような依存関係はない規格とする。また、ネーム規格では、ショートファイルネームは必須であるのに対し、ロングファイルネームはｎｕｌｌ、すなわちなくてもよいことにする。
【００２７】
デジタルオーディオプレーヤ１０では、ショートファイルネームに含まれる数値は追い番の管理データとして再生順管理に使用される。また、図２（ｂ）の段階では、各楽曲ファイルのロングファイルネームはｎｕｌｌ（空）となっている。図２（ｂ）及び（ｃ）並びに後述の図３（ｂ）及び（ｃ）では、各ｗｍａの楽曲ファイルについて、ショートファイルネーム及びロングファイルネームをそれぞれ”：”の左側及び右側に示している。
【００２８】
ＣＤテキストなしＣＤ−ＤＡに基づくリッピングは、図２（ｂ）のファイル名状態で終了する。デジタルオーディオプレーヤ１０は、フォルダ”Ａｌｂｕｍ００１”について全曲再生または連続再生のユーザ指示を受付けると、フォルダ内の楽曲ファイルのショートファイルネームに含まれる追い番に係る数値を検出し、追い番順に各楽曲ファイルの楽曲を再生していく。各楽曲ファイルの楽曲再生中、デジタルオーディオプレーヤ１０のディスプレイには、ロングファイルネームに基づき再生楽曲の楽曲名等のテキスト情報が表示されることになっているが、ロングファイルネームは図２（ｂ）の状態ではｎｕｌｌであるため、このデジタルオーディオプレーヤ１０は、それら情報の代わりに、ショートファイルネームをディスプレイに表示するようになっている（図６のＳ４４で後述する。）。
【００２９】
ユーザは、リッピング後、各楽曲ファイルの楽曲の再生中に、適切な楽曲情報をディスプレイに表示させるために、ファイル名を自ら編集する。なお、デジタルオーディオプレーヤ１０をインターネットを介してＣＤＤＢのサーバへ接続して、ＣＤＤＢから楽曲情報をダウンロードすることにより、ユーザ入力に代えて、自動的に入力することもできる。ユーザによるファイル名の編集は、ショートファイルネームについては禁止され、ロングファイルネームが対象となる。図２（ｃ）はユーザがフォルダ”Ａｌｂｕｍ００１”内の追い番１〜３の楽曲ファイルについてそのファイル名を変更した状態を示している。
【００３０】
図２（ｃ）では、追い番１〜３の楽曲ファイルは、そのショートファイルネームについては無変更のままとされつつ、そのロングファイルネームについてはそれぞれ”ｋａｋｉｋｕｋｅｋｏ．ｗｍａ”，”ｓａｓｉｓｕｓｅｓｏ．ｗｍａ”，”ｔａｔｉｔｕｔｅｔｏ．ｗｍａ”へ変更された。結果、ロングファイルネームの変更後も、フォルダ”Ａｌｂｕｍ００１”について全曲再生または連続再生のユーザ指示を受付けた場合には、フォルダ内の楽曲ファイルのショートファイルネームに含まれる数値から各ファイルの追い番を判断し、追い番順に各楽曲ファイルの楽曲を支障なく再生することができる。また、追い番１〜３の楽曲の再生時には、デジタルオーディオプレーヤ１０のディスプレイには、ロングファイルネームの本体部分（＝拡張子部分を除いたロングファイルネーム部分）”ｋａｋｉｋｕｋｅｋｏ”，”ｓａｓｉｓｕｓｅｓｏ”，”ｔａｔｉｔｕｔｅｔｏ”が再生楽曲情報としてそれぞれ表示されることになる。   
【００３１】
ユーザにより入力される各楽曲ファイルのロングファイルネームの”ｋａｋｉｋｕｋｅｋｏ”等は、典型的には、各ファイルについてアーティスト名、楽曲名及びアルバム名を、所定の区切り子で区切りながら、所定の順番で入力したものとなっている。入力作業を能率化させるために、ユーザがタブキーを１回、押下すれば、区切り子が自動的に入力されるようになっていてもよい。デジタルオーディオプレーヤ１０は、楽曲ファイルの再生時には、ファイルのロングファイルネームの各区分より楽曲名及びアーティスト名等の楽曲情報を抽出し、ディスプレイに表示する。
【００３２】
図３はＣＤテキスト付きＣＤ−ＤＡについてリッピングを実施した場合のファイル名の変更過程を示している。図３（ａ）及び（ｂ）はそれぞれ図２（ａ）及び（ｂ）と同一である。ＣＤテキスト無しＣＤ−ＤＡのリッピングの場合には、図２（ｂ）のファイル名状態でリッピングが終了した。これに対して、ＣＤテキスト付きＣＤ−ＤＡについてのリッピングでは、図３（ｂ）の後、さらに処理が続行されて、デジタルオーディオプレーヤ１０は、自動的に、各楽曲ファイルのロングファイルネームをＣＤテキストに基づき編集して、図３（ｃ）のファイル名状態に至る。
【００３３】
図３（ｃ）では、各楽曲ファイルのロングファイルネームは追い番順に”ｋａｋｉｋｕｋｅｋｏ．ｗｍａ”，”ｓａｓｉｓｕｓｅｓｏ．ｗｍａ”，”ｔａｔｉｔｕｔｅｔｏ．ｗｍａ”．”ｎａｎｉｎｕｎｅｎｏ．ｗｍａ”，”ｈａｈｉｈｕｈｅｈｏ．ｗｍａ”となっている。ロングファイルネームは、デジタルオーディオプレーヤ１０がＣＤ−ＤＡのＣＤテキストに基づき自動的に入力されるので、図２（ｃ）の手間のかかる手作業入力が省略される。
【００３４】
図４はユーザによるファイル名変更の作業画面を例示している。デジタルオーディオプレーヤ１０のディスプレイ２３におけるファイル名称表示用ウィンドウ２４には、ユーザがファイルネームの変更対象として呼び出した楽曲ファイルの名称が表示される。図４は、例えば、ショートファイルネームが”ＴＲ００１．ｗｍａ”である楽曲ファイルの名称を呼び出している。
【００３５】
呼び出した楽曲ファイルにロングファイルネームがすでに付与されている場合には、ファイル名称表示用ウィンドウ２４にロングファイルネームが表示される。図４（ａ）は楽曲ファイルに、「ｋａｋａｋａｋａｋａ．ｗｍａ」のロングファイルネームがすでに付与されている場合のファイル名称表示用ウィンドウ２４を示している。
【００３６】
呼び出した楽曲ファイルにロングファイルネームが付与されていない場合、すなわち、ロングファイルネームがｎｕｌｌである場合には、ファイル名称表示用ウィンドウ２４に楽曲ファイルのショートファイルネームが表示される。図４（ｂ）は楽曲ファイルのロングファイルネームがｎｕｌｌである場合に、ショートファイルネームの”ＴＲ００１．ｗｍａ”がファイル名称表示用ウィンドウ２４に表示されている状態を示している。なお、ファイル名称表示用ウィンドウ２４には、ショートファイルネーム及びロングファイルネームの全部を表示することなく、拡張子は表示から省くようにすることもできる。
【００３７】
ユーザは、ファイル名称表示用ウィンドウ２４を用い、表示されているファイル名称を編集する。図４（ｃ）はファイル名称として「ｋａｋｅｋｕｋｅ」まで入力し終わった時のファイル名称表示用ウィンドウ２４を示している。ファイル名称表示用ウィンドウ２４にロングファイルネームが表示されている場合に、ユーザが編集操作を行ったときは、ユーザによって編集されたファイル名称はその楽曲ファイルのロングファイルネームとして登録される。ファイル名称表示用ウィンドウ２４にショートファイルネームが表示されている場合にユーザが編集操作を行ったときは、ユーザによって編集されたファイル名称は、その楽曲ファイルのロングファイルネームとして登録される。ショートファイルネームは、ロングファイルネームの編集終了後も、編集前と同一の名称を保持する。
【００３８】
また、典型的なデジタルオーディオプレーヤ１０では、ファイル名称表示用ウィンドウ２４に拡張子”ｗｍａ”も表示するようになっている場合、拡張子についてユーザによる変更や新規入力を禁止することが通常である。拡張子については、デジタルオーディオプレーヤ１０が所定のものを付与するようになっている。
【００３９】
ユーザは、デジタルオーディオプレーヤ１０内の楽曲ファイルを使い込むに連れて、不要な楽曲ファイルを記憶装置から削除することがある。図２及び図３で説明したショートファイルネームでは、追い番に係る名前部分は００１，００２，・・・というように、３桁の数値となっているので、追い番は最大９９９までしか割り振ることができない。削除された楽曲ファイルの追い番は欠番となり、このような欠番が増えると、記憶装置内の楽曲ファイルの個数が、追い番最大値９９９以内であるにもかかわらず、後ろの方の楽曲ファイルに追い番を割り振ることができなくなる。
【００４０】
デジタルオーディオプレーヤ１０では、これに対処するため、最後の追い番が最大値近辺になると、適宜、追い番の付け直し（「リフレッシュ」とも呼ばれる。）が、ユーザ指示に基づきまたは自動的に行われるようになっている。追い番の付け直し処理期間は、当然に、ショートファイルネームの変更制限が解除される。そして、記憶装置に残っているファイルについて、追い番の順番が維持されつつ、かつ追い番が連続するように、各楽曲ファイルのショートファイルネームの追い番部分が変更される。これにより、追い番の欠落は解消される。
【００４１】
フォルダに対してもフォルダ名をショートファイルネーム及びロングファイルネームの複数、付与することができる。例えば、フォルダのショートファイルネームとして追い番に係る数値を含む名前とし、フォルダのロングファイルネームとして、アルバム名やアーティスト名を含む名前とし、ロングファイルネームはユーザによる変更を許可し、ショートファイルネームはユーザによる変更を禁止する措置をとる。これにより、複数のフォルダを一気に再生する場合には、フォルダの再生順を保持することができる。
【００４２】
図５はリッピング処理のフローチャートである。リッピング処理は図２及び図３のファイル名変更過程に対応している。Ｓ３５では、追い番に係る数値を含むショートファイルネームを各楽曲ファイルに付与する。Ｓ３５において、Ｔｒ０１，Ｔｒ０２，・・・は、ＣＤ−ＤＡにおける各楽曲のトラック番号を示し、ＴＲ００１，ＴＲ００２，・・・はショートファイルネームを示している。
【００４３】
Ｓ３６では、デジタルオーディオプレーヤ１０におけるＣＤテキストのコピー機能がＯＮになっているか否かを判定する。ユーザは、ＣＤテキストのコピー機能のＯＮ，ＯＦＦを選択することができる。Ｓ３６における判定が正であれば、Ｓ３７へ進み、否であれば、リッピング処理を終了する。
【００４４】
Ｓ３７では、今回のＣＤ−ＤＡがＣＤテキスト付きであるか否かを判定し、正であれば、Ｓ３８へ進み、否であれば、リッピング処理を終了する。Ｓ３８では、各楽曲ファイルに、対応するＣＤテキストを含むロングファイルネームを付与する。
【００４５】
図６はファイル名表示処理のフローチャートである。ファイル名表示処理は、例えば、デジタルオーディオプレーヤ１０において楽曲ファイルを再生開始する時とか、ユーザがファイル名の編集作業開始する時とかに起動する。
【００４６】
Ｓ４２では、ファイル名表示処理対象の楽曲がロングファイルネームをもつか否かを判定し、判定結果が正であれは、Ｓ４３へ進み、否であれば、Ｓ４４へ進む。Ｓ４３では、ロングファイルネームをデジタルオーディオプレーヤ１０のディスプレイに表示する。Ｓ４４では、ショートファイルネームをデジタルオーディオプレーヤ１０のディスプレイに表示する。
【００４７】
図７はファイル管理装置５０のブロック図である。図１のデジタルオーディオプレーヤ１０、据え置き型オーディオ装置１１及びＰＣ１２はファイル管理装置５０の具体例である。ファイル管理装置５０の処理は図２〜図４で説明した処理を包摂するものである。
【００４８】
ファイル管理装置５０は再生ファイル記録手段５１及びファイル名付与手段５２を有している。再生ファイル記録手段５１は、コンテンツ情報を再生するための再生ファイル５８を記憶装置５９に記録する。ファイル名付与手段５２は、再生ファイル記録手段５１により記録された各再生ファイル５８に対して第１及び第２のファイル名を付与する。
【００４９】
第１のファイル名は、連続的な記載を含む名称とされるとともに、変更を制限されるものとされる。第２のファイル名は、再生ファイルの属性に関連付けられた記載を含む名称とされるとともに、変更を許容されるものとされる。
【００５０】
再生ファイル５８には、少なくとも、楽曲ファイル、画像ファイル及び動画ファイルが含まれる。第２のファイル名について、再生ファイルの属性に関連付けられた記載とは、例えば、ＣＤテキストに含まれる楽曲名や、アルバム名や、アーティスト名である。ユーザが、各再生ファイルに対して自分専用のメモを付けたいときに、第２のファイル名を利用することも可能である。
【００５１】
第１及び第２のファイル名は、図２等で説明したショートファイルネーム及びロングファイルネームであってもよい。すなわち、第１及び第２のファイル名は、例えば、文字数がそれぞれ所定値未満及び以上のバイト数の名前となっているものとすることができる。なお、第１及び第２のファイル名は、相互に独立の名前とすることができ、第２のファイル名は初期的には、ｎｕｌｌであってもよいとする。
【００５２】
第１のファイル名がその名称に含む連続的な記載とは、例えば、連続する数値（例：００１，００２，００３，・・・）、連続する文字（例１：ａ，ｂ，ｃ，・・・。例２：あ、い、う、・・・）、及びそれらの混在（例：ａ０１，ａ０２，・・・，ａ９９，ｂ０１，ｂ０２，・・・ｂ９９，ｃ０１，・・・）である。
【００５３】
典型的には、第１のファイル名における連続的な記載とは、複数の再生ファイルについての所定の処理順番に係る記載である。所定の処理順番とは、例えば、ＣＤ−ＤＡからのリッピングの際、ユーザがリッピング順を未指定としたときのデフォルトのリッピング順、すなわちＣＤ−ＤＡにおけるトラック番号順や、ユーザがリッピング順を指定したときのその指定順、記憶装置５９への再生ファイル５８の記録順（この記録順は、通常は、リッピング順と同一である。）である。
【００５４】
第１のファイル名は、例えば、複数の再生ファイル５８についてのソートの管理データとして使用される。ソート管理データとして例えば楽曲の再生順を規定する追い番がある。
【００５５】
第２のファイル名は、例えば、再生ファイル５８のコンテンツ情報のテキストデータとされる。このようなテキストデータの具体例には、ＣＤテキストに含まれる楽曲名、アーティスト名及びアルバム名がある。さらに、ユーザによるコンテンツのメモ書きを第２のファイル名の本体部分（＝拡張子を除く部分）の全体または部分としてもよい。
【００５６】
ユーザは不要な再生ファイルを適宜削除することがある。これに伴い、リッピング当初は、第１のファイル名について、記載が連続的となっていたにもかかわらず、部分的に欠落した不連続なものとなる。また、第１のファイル名についての文字数の制約から、連続的な記載には最大値の制限があり、再生ファイル５８に付与する第１のファイル名が枯渇することが起こり得る。
【００５７】
これに対処し、第１のファイル名について、連続的な記載の欠落が適当に大きくなった時点で、不連続を解消するべく、第１のファイル名を再付与することが望まれる。好ましくは、ファイル名付与手段５２は、再生ファイル５８の一部削除に伴って生じる第１のファイル名に係る記載の不連続性に対し、第１のファイル名の変更の制限を解除してから、非削除の再生ファイルの第１のファイル名について連続的な記載に戻す。なお、追い番等は、記憶装置５９内のフォルダごとに独立に設定してもよいし、記憶装置５９全体で通しの追い番を設定してもよい。
【００５８】
ファイル名付与手段５２は、再生ファイル５８へのファイル名付与に代えて、再生ファイル５８を少なくとも１以上含むフォルダへのフォルダ名付与を行う手段として適用されてもよい。
【００５９】
ファイル管理方法７０について、図８及び図９のフローチャートに基づき説明する。図８はファイル管理方法７０における再生ファイル記録ルーチンのフローチャート、図９はファイル管理方法７０におけるファイル名変更要求ルーチンのフローチャートである。再生ファイルルーチン（図８）は、例えばリッピング時のように、記憶装置５９へ新規の再生ファイル５８を記録する時に起動する。
【００６０】
ファイル名変更要求ルーチン（図９）は、例えば、ＣＤテキスト付きＣＤ−ＤＡからリッピングを行う場合に、ＣＤテキストをファイル名に含ませる時とか、リッピング後に、ユーザがファイル名のリネームを行う時とかに起動する。前述した図２（ｂ）→図２（ｃ）の過程は後者の例であり、図３（ｂ）→図３（ｃ）は前者の例である。
【００６１】
再生ファイル記録ルーチン（図８）において、Ｓ７１では、コンテンツ情報を再生するための再生ファイル５８を記憶装置５９に記録する。Ｓ７２では、記憶装置５９に記録された各再生ファイル５８に対し、連続的な記載を含む第１のファイル名と、再生ファイルの属性に関連付けられた記載を含む第２のファイル名とを付与する。
【００６２】
ファイル名変更要求ルーチン（図９）は、ファイル名の変更要求に対して、それが第１のファイル名であるならば、変更を制限し、また、第２のファイル名であるならば、許容する。
【００６３】
すなわち、Ｓ７６では、今回のファイル名変更要求が第１のファイル名についてのものであるか否かを判定し、判定が正であれば、Ｓ７７へ進み、否であれば、Ｓ７８へ進む。Ｓ７７では、第１のファイル名の変更を制限する。第１のファイル名の変更の制限とは、例えば、変更の禁止である。第１のファイル名について、全面的な変更制限とせずに、追い番等の連続的記載以外の部分については変更を許容する部分的な変更制限にしてもよい。
【００６４】
Ｓ７８では、今回のファイル名変更要求が第２のファイル名についてのものであるか否かを判定し、判定が正であれば、Ｓ７９へ進み、否であれば、ルーチンを終了する。Ｓ７９では、第２のファイル名の変更を許容する。
【００６５】
本発明を適用したプログラムは、コンピュータをファイル管理装置５０の各手段として機能させる。本発明を適用した別のプログラムは、ファイル管理方法７０の各ステップをコンピュータに実行させる。
【００６６】
本発明を各種具体的形態について説明したが、本発明は、これに限定されるものではなく、発明の要旨を逸脱しない範囲で、各種具体的形態における各構成要素を変形（削除も含む。）して具体化できる。また、各種具体的形態間において、構成要素を置換したり、各種具体的形態の複数の構成要素を組み合わせたりすることにより、種々の発明を形成することもできる。
【符号の説明】
【００６７】
５０  ファイル管理装置
５１  再生ファイル記録手段
５２  ファイル名付与手段
５８  再生ファイル
５９  記憶装置
７０  ファイル管理方法
【図１】
2011146119.tif 000003
【図２】
2011146119.tif 000004
【図３】
2011146119.tif 000005
【図４】
2011146119.tif 000006
【図５】
2011146119.tif 000007
【図６】
2011146119.tif 000008
【図７】
2011146119.tif 000009
【図８】
2011146119.tif 000010
【図９】
2011146119.tif 000011